(57)【要約】【課題】ドレンパンの残留水量を軽減するために、ドレンパンに容量を減らしたことで冷房運転からの機器停止後、熱交換器表面に保持されていた水滴が送風機による水平成分の力がなくなることで急激に落下し、場合によってはドレンパンから凝縮水が溢れることが発生する。【解決手段】凝縮水が発生する運転中もしくは運転後に、可動シートに電圧を印加し、可動シートの前後端やドレンポンプの位置とは反対側を高くすることで凝縮水がドレン排水口もしくはドレンポンプが設置している方向に凝縮水の排水を促進することで残留凝縮水量を低減させることを可能とする。【選択図】図１
2007132591.tif 000002
【特許請求の範囲】
【請求項１】
冷房運転が可能な空気調和機の室内ユニット本体と、このユニット本体内に収容
される熱交換器及び送風ファンと、前記熱交換器で発生する凝縮水を貯留するドレンパンと、このドレンパンに貯留される水を排水するドレン排水口もしくはドレンポンプを備えた空気調和機において、電圧を印加することによって反り変形をする高分子シートを備えてドレンパンの上面を覆う第１のシートを設け、前記ドレンパンに貯留され凝縮水の排水を促進するように構成したことを特徴とする空気調和機の室内ユニット。
【請求項２】
ドレンパンの上面を覆う第１のシートの、ドレンポンプとは反対側の位置の下部に高分子シートを備えた第２のシート設け、前記第１のシートを持ち上げて前記ドレンパンに貯留され凝縮水の排水を促進するように構成したことを特徴とする請求項１に記載の空気調和機の室内ユニット。
【請求項３】
前記高分子シートは、電圧を印加することで反り変形をする性状をもつイオン伝導性高分子素子で構成されていることを特徴とする請求項１または２に記載の空気調和機の室内ユニット。
【請求項４】
前記高分子シートは、薄板状の弾性樹脂材で被包されていることを特徴とする請求項１から３のうちいずれか一項に記載の空気調和機の室内ユニット。
【請求項５】
前記可動シートを反り変形させる時のみ前記高分子シートに電圧が印加される構成であることを特徴とする請求項１から４のうちいずれか一項に記載の空気調和機の室内ユニット。
【請求項６】
機器の運転状態や機器周囲の温湿度条件によって、前記高分子シートに電圧を印加するタイミングを指令する制御手段を備えたことを特徴とする請求項１から５のうちいずれか一項に記載の空気調和機の室内ユニット。
【発明の詳細な説明】
【技術分野】
【０００１】
本発明は空気調和機に関し、特に室内ユニットに関するものである。
【背景技術】
【０００２】
空気調和機の室内ユニットでは、送風機によって誘引することで室内空気を空気吸込み口から吸込み、これを熱交換器での熱交換によって温度調節をした後、空調風として空気吹き出し口から室内へ吹き出すようになっている。従来、この種の空気調和機の室内ユニットは、冷房運転において熱交換器と室内空気が熱交換した際の凝縮水を貯溜するために熱交換器の下部にドレンパンが配置され、ドレンパンに溜まった凝縮水を室外に排出するためにドレンポンプが設置されている。しかし、ドレンポンプの設置位置の制約からドレンパン底部に凝縮水が残留するため、その水量の軽減手段として、ドレンパン内に固形物を配設し、水垢などの発生量抑制を図っている（例えば、特許文献１参照）。
【０００３】
図５は、特許文献１に記載された従来の空気調和機の室内ユニットの略断面図を示すものである。図５に示すように、ユニット１に熱交換器２が架設され、吸込み口３から送風機４により吸い込まれた空気は熱交換器２を通して熱交換され、吹出し口７から吹き出される。熱交換器２の下部にドレンパン５を配置することで、冷房時の熱交換２の凝縮水を貯溜でき、ドレンポンプ６によってレンパン５の凝縮水を室外に排出する。さらに、ドレンパン５内に固形物８を配置することでドレンパン５底部に残留する水量を減少させている。
【特許文献１】特開２００４−２９４０２１号公報
【発明の開示】
【発明が解決しようとする課題】
【０００４】
しかしながら、前記従来の構成では、ドレンパンの残留水量を軽減するために、ドレンパンの容量を減らしたことで冷房運転からの機器停止後、熱交換器表面に付着していた水滴が送風機による水平成分の力がなくなることで急激に落下するために、製品の設置状態や運転状態によっては凝縮水が一時的にドレンポンプの排出量以上となり、ドレンパンから凝縮水が溢れるというケースが発生するという課題を有していた。
【０００５】
本発明は、前記従来の課題を解決するもので、空気調和機の室内ユニットにおいて、冷房運転からの機器停止後、ドレンパンから凝縮水が溢れることなく、ドレンパンに残留する凝縮水量を軽減できる空気調和機の室内ユニットを提供することを目的とする。
【課題を解決するための手段】
【０００６】
前記従来の課題を解決するために、本発明の空気調和機の室内ユニットは、電圧を印加することによって反り変形をする高分子シートを備え、ドレンパンに貯留され凝縮水の排水を促進する第１のシートを設けた構成とし、凝縮水が発生する運転中もしくは運転後に、第１のシートに電圧を印加し、第１のシートの前後端を高くしたり、さらには第１のシートのドレンポンプとは反対側を第２のシートにより持ち上げて高くすることで凝縮水がドレン排水口もしくはドレンポンプを設置している位置に凝縮水を集めて排水を促進することで残留凝縮水量を低減させることを可能とする。
【発明の効果】
【０００７】
上記のように、本発明の空気調和機の室内ユニットは、ドレンパンに残留する水量を減少させることができるため、ドレンパンでの水垢の発生の抑制だけでなく、凝縮水中に溶解しているカルシュウムなどが凝縮水の蒸発によって析出し、飛散するのを防止できる。
さらに、ドレンパン容量を一時的に減らしても、ドレンパン内に残留している凝縮水が少ないためにドレンパンからの溢水に対する危険性が軽減できることから、ドレンパンの小型化による製品の小型化が実現でき、製品設置可能箇所の拡大などを図ることができる。
【発明を実施するための最良の形態】
【０００８】
第１の発明の空気調和機の室内ユニットは、電圧を印加することによって反り変形をする高分子シートを備え、ドレンパンに貯留される凝縮水の排水を促進するシートを設けた構成とし、凝縮水が発生する運転中もしくは運転停止後に、高分子シートに電圧を印加し、第１のシートの後端または前後端を高くすることで凝縮水がドレン排水口もしくはドレンポンプが設置している位置に集まるようにして凝縮水の排水を促進することで残留凝縮水量を低減させることを可能とする。
【０００９】
第２の発明は、第１のシートの、ドレンポンプとは反対側の位置の下部に高分子シートを備えた第２のシート設け、前記第１のシートを持ち上げて前記ドレンパンに貯留され凝縮水の排水を促進するように構成したことを特徴とするもので、第１のシートのドレンパンとは反対側を高くすることで凝縮水がドレン排水口もしくはドレンポンプが設置している位置に集まるようにして凝縮水の排水を促進することで残留凝縮水量を低減させることを可能とする。
【００１０】
第３の発明は、高分子シートが電圧を印加することで反り変形をする性状をもつイオン伝導性高分子素子で構成されたことを特徴とするもので、電圧を印加するだけで反り変形を起すことができ、制御が容易である。
【００１１】
第４の発明は、高分子シートが薄板状の弾性樹脂材で被包されていることを特徴とするもので、弾性樹脂材によって高分子シート及びその電極が外部へ露出しないようにして、高分子シートおよび電極の損傷の発生が防止されることで耐久性の向上が可能となる。
【００１２】
第５の発明は、可動シートを反り変形させる時のみ高分子シートに電圧が印加される構成であることを特徴とするもので、変形後の保持期間は電圧を印加する必要がなく、常時電圧印加を必要とするような場合に比して消費電力が少なくてすみ、省エネ性に優れた運転が可能である。
【００１３】
第６の発明は、機器の運転状態や機器周囲の温湿度条件によって、高分子シートに電圧を印加するタイミングを指令する制御手段を備えたことを特徴とするもので、凝縮水がドレンパンから溢れないように高分子シートを制御して、無駄な動作を抑制する。
【００１４】
以下、本発明の実施の形態を図１〜図４に基づいて説明する。なお、この実施の形態によって本発明が限定されるものではない。
【００１５】
（実施の形態１）
図１は、本発明の第１の実施の形態における空気調和機の室内ユニットの断面模式図で、図２は、図１のＩ−Ｉ断面図である。図１，図２において、ユニット１内に配置された熱交換器２と送風機３によって、室内に冷媒のエネルギーを供給する。熱交換器２の下部には冷房時に熱交換器２で凝縮した凝縮水を貯留するドレンパン５、その右端にドレンポンプ６が配設されている。ドレンパン５の上面には、電圧を印加することによって前後方向を狭めるように反り変形をする高分子シートによって形成された第１のシートである可動シート９ａが配置され、ドレンポンプ６とは反対の左側の可動シート９ａの下部に第２のシートである隆起シート９ｂが備え付けられている。そして、可動シート９ａと隆起シート９ｂへの電圧の印加を制御する制御手段１０を備えた構成となっている。
【００１６】
ここで、可動壁７ａについて詳細に説明する。図３は本発明の実施の形態１における可動シートまたは隆起シートの断面図で、図４は同じく高分子シートの構造及び動作説明図である。図３において、可動シート９ａまたは隆起シート９ｂは、電圧の印加によって反り変形を発生する高分子シート１１を複数枚積層し、且つ、これを弾性樹脂材１８で被包することによって形成される。この高分子シート１１は図４（ｂ）に示すように、水分を含むイオン伝導性高分子素子１２の両面にそれぞれ電極１３（ａ），（ｂ）を配置して構成された板状部材であって、電極１３（ａ）と電極１３（ｂ）とを、極性切り替えスイッチ１４を介して直流電源１５に接続し、極性切り替えスイッチ１４の切り替え操作によって、電極１３（ａ），（ｂ）の極性を適宣変更することで図４（ａ），（ｃ）に示すように反対方向に反り変形を生じるものである。弾性樹脂材１８で被包することによって、高分子シートおよび電極の損傷の発生が防止されることで耐久性の向上が可能となる。
【００１７】
具体的には、図４（ａ）に示す様に、電極１３（ａ）を「陽極」に、電極１３（ｂ）を「陰極」に設定すると、イオン伝導性高分子素子１２内の「陽イオン１６」が水を伴って「陰極」側へ移動し、含水量が「陰極」側に偏在し、「陰極」側と「陽極」側との間に膨潤差が生じて高分子シート１１が「陰極」側、即ち、電極１３（ｂ）側へ凸状に反り変形するものである。逆に図４（ｃ）に示すように電極１３（ａ）を「陰極」に、電極１３（ｂ）を「陽極」に設定すると、「陰極」である電極１３（ａ）側へ凸状に反り変形するものである。この様に電圧印加の極性を変更することで高分子シート１１を反り変形させることができるものである。
【００１８】
尚、イオン伝導性高分子素子１２には、電圧印加によって反り変形させた後、電圧印加をなくしても、電圧印加停止前の反り変形状態をそのまま維持するという性状をもっている。したがって、このイオン伝導性高分子素子１２はこれを反り変形させる時にのみ電圧印加を行えば良いものである。元通りに戻すには両電極１３（ａ），（ｂ）を短絡すれば良い。
【００１９】
上記の構成とすることで、機器の運転状態や室内の空気状態に応じて、可動シート９ａの高分子シート１１に電圧を印加し、反り変形を発生させることで、可動シート９ａの後端または前後端を高くすることで、凝縮水がドレンポンプ６側に集めて排水を促進できるため、ドレンパン５に残留する水量を減少させることができる。また、隆起シート９ｂに反り変形を発生させて可動シート９ａのドレンポンプ６とは反対側を持ち上げるようにして高くすることにより、凝縮水がドレンポンプ６側に集めて排水を促進できるため、ドレンパン５に残留する水量を減少させることができる。
【００２０】
つまり、ドレンパン５での残留水減少によって、菌の作用によって発生する水垢などの抑制だけでなく、凝縮水中に溶解しているカルシュウムなどが凝縮水の蒸発によって析出し、飛散するのを防止できる。さらに、ドレンパン５の容量を減らすのは一時的で制御するものであり、ドレンパン５自体の容量を減少するものではないのでドレンパン５からの溢水に対する危険性が大幅に減少できることから、ドレンパンの小型化による製品のダウンサイジングが実現でき、製品設置可能箇所の拡大などを図ることができる。なお、可動シート９ａと隆起シート９ｂは同時に設けても良いし、それぞれ単独で設けても良い。
【産業上の利用可能性】
【００２１】
以上のように、本発明にかかる空気調和機の室内ユニットは、ドレンパンの上面に設けた可動シートにより排水を促進できるものであり、除湿機などにも適用できる。
【図面の簡単な説明】
【００２２】
【図１】本発明の実施の形態１における空気調和機の室内ユニットの断面模式図
【図２】図１のＩ−Ｉ断面図
【図３】本発明の実施の形態１における可動シートまたは隆起シートの断面図
【図４】本発明の実施の形態１における高分子シートの構造及び動作説明図
【図５】従来の空気調和機の室内ユニットの断面模式図
【符号の説明】
【００２３】
１  室内ユニット
２  熱交換器
４  送風機
５  ドレンパン
６  ドレンポンプ
９ａ  可動シート
９ｂ  隆起シート
１０  制御手段
１１  高分子シート
１３ａ，ｂ  電極
１８  弾性樹脂材
【図１】
2007132591.tif 000003
【図２】
2007132591.tif 000004
【図３】
2007132591.tif 000005
【図４】
2007132591.tif 000006
【図５】
2007132591.tif 000007